(57)【特許請求の範囲】
【請求項１】
上面シートと下面シートとによって中詰め緩衝材が包被されてなる体操用安全マットであって、
全体長さ及び全体幅がいずれも５００〜１５００ｍｍの範囲内にあり、且つ、全体厚さが５〜２５ｍｍの範囲内にあり、更に、
前記下面シートは、織物の片面に滑り止め用合成樹脂コート層又はゴムコート層が積層一体化された防滑性シート材から構成されるとともに、前記コート層を下面側にして位置されており、
前記上面シートは、ＪＩＳ  Ｌ  １０９６による厚さが０．５〜３ｍｍであり、且つＪＩＳ  Ｌ  １０９６による単位面積当たりの質量が２００〜８００ｇ／ｍ2、ＪＩＳ  Ｌ  １０９６のカットストリップ法による引張強さ（試験片幅：２．５ｃｍ）が３００〜７００Ｎ、ＪＩＳ  Ｌ  １０９６のシングルタング法による引裂強さが５０〜１５０Ｎ、
ＪＩＳ  Ｌ  １０９６のＣ法による摩耗強さ（摩耗輪：Ｈ−２２、荷重：９．８１Ｎ、回数：１０００回）が１００〜２５０ｍｇの特性を有し、
前記中詰め緩衝材は、ＪＩＳ  Ｋ  ６７６７による見掛け密度が０．０５〜０．２０ｇ／ｃｍ3、ＪＩＳ  Ｋ  ６７６７による圧縮硬さ（２５％圧縮時）が２．０〜６．０Ｎ／ｃｍ2の特性を有する弾性シートから構成され、
前記下面シートを構成する防滑性シート材は、ＪＩＳ  Ｌ  １０９６による単位面積当たりの質量が６００〜１１００ｇ／ｍ2、ＪＩＳ  Ｌ  １０９６のストリップ法による引張強さ（試験片幅：５ｃｍ）が２０００〜４０００Ｎ、ＪＩＳ  Ｌ  １０９６のシングルタング法による引裂強さが１５０〜３５０Ｎの特性を有し、かつ該下面シートの下面は、ＡＳＴＭ  Ｄ  １８９４による静摩擦係数（相手材：ポリメタクリル酸メチル）が１．３〜２．１に設定されていることを特徴とする体操用安全マット。
【請求項２】
全体重量が１〜４ｋｇの範囲内にある請求項１又は２記載の体操用安全マット。
【請求項３】
前記下面シートの下面における一方の側縁部及び他方の側縁部に、それぞれ互いに連結可能な面ファスナーが固着されている請求項１又は２記載の体操用安全マット。
【発明の詳細な説明】
【０００１】
【発明の属する技術分野】
この発明は、跳馬、平均台、平行棒、段違い平行棒、鉄棒等の体操競技の練習時における負傷の防止に用いられる体操用安全マットに関する。
【０００２】
【従来の技術】
体操競技における回転技等の高度な演技練習は、失敗を伴うことが多く、ジムナストが負傷する危険性がある。例えば、平均台、平行棒、段違い平行棒、鉄棒等における演技練習では、ジムナストが手足をビーム、バー、支柱等にぶつけて負傷することがあるし、一方、跳馬や床運動等における演技練習では、前転や後転等を行うためにジムナストが手を馬体、助走路面、床面等に着けた時に手首の関節を痛める恐れある。このため、ビーム、バー、支柱等にパッドを装着したり、着手用のマットを床面上等に敷いたりしてジムナストの安全性を確保した上で演技練習が行われている。
【０００３】
【発明が解決しようとする課題】
しかしながら、従来のパッドやマットは、体操競技用具ごとに用いられるものであったために、専用のパッドやマットを購入する必要があり、汎用性に欠けていた。
【０００４】
また、体操競技の試合は全国各地の会場で開催されるものであり、そこにジムナストやコーチ等の一団が遠征することにより、試合が行われる。そして、試合前には、その会場で演技練習が行われるのが通常である。しかしながら、従来のマットは、かさ高で且つ重量が重いため、これを遠征先の試合会場まで持ち運ぶことが困難であった。
【０００５】
また、平均台の演技練習時には、ビーム上で演技練習しているジムナストが宙返りをしてビームに着地する際に足を踏み外して摩擦熱で足に火傷をする等、ジムナストが負傷する恐れがある。しかしながら、従来のマットは、上述したようにかさ高で且つ重量が重いため、このような不慮の演技失敗が生じるときにすぐにこれを投げ込んでビームに掛け置くことができなかった。
【０００６】
さらに、従来のマットでは、これをビーム、バー、馬体等に掛け置いた状態で演技練習を行うと、ジムナストがマットに手や足を着いたときに、このマットが不慮にずれ動くことがあり、ジムナストが怪我をする恐れがあった。
【０００７】
この発明は、このような技術背景に鑑みてなされたもので、その目的は、様々な体操競技用具に適用することができ、且つ遠征先の試合会場まで容易に持ち運ぶことができ、しかも演技失敗時にビーム、バー等の競技使用部位に投げ置くことができ、その上、不慮のずれ動きが生じない体操用安全マットを提供することにある。
【０００８】
【課題を解決するための手段】
上記目的を達成するため、この発明に係る体操用安全マットは、上面シートと下面シートとによって中詰め緩衝材が包被されてなる体操用安全マットであって、全体長さ及び全体幅がいずれも５００〜１５００ｍｍの範囲内にあり、且つ、全体厚さが５〜２５ｍｍの範囲内にあり、更に、前記下面シートは、織物の片面に滑り止め用合成樹脂コート層又はゴムコート層が積層一体化された防滑性シート材から構成されるとともに、前記コート層を下面側にして位置されていることを特徴としている。
【０００９】
また、この安全マットにおいて、前記下面シートの下面は、ＡＳＴＭ  Ｄ  １８９４による静摩擦係数（相手材：ポリメタクリル酸メチル）が１．３〜２．１に設定されていることが、望ましい。
【００１０】
また、この安全マットにおいて、全体重量が１〜４ｋｇの範囲内にあることが、望ましい。
【００１１】
また、この安全マットにおいて、前記上面シートは、ＪＩＳ  Ｌ  １０９６による厚さが０．５〜３ｍｍであり、且つＪＩＳ  Ｌ  １０９６による単位面積当たりの質量が２００〜８００ｇ／ｍ2、ＪＩＳ  Ｌ  １０９６のカットストリップ法による引張強さ（試験片幅：２．５ｃｍ）が３００〜７００Ｎ、ＪＩＳ  Ｌ１０９６のシングルタング法による引裂強さが５０〜１５０Ｎの特性を有していることが望ましい。
【００１２】
また、この安全マットにおいて、前記上面シートは、ＪＩＳ  Ｌ  １０９６のＣ法による摩耗強さ（摩耗輪：Ｈ−２２、荷重：９．８１Ｎ、回数：１０００回）が１００〜２５０ｍｇの特性を有していることが、望ましい。
【００１３】
また、この安全マットにおいて、前記中詰め緩衝材は、厚さが５〜２５ｍｍであり、且つＪＩＳ  Ｋ  ６７６７による見掛け密度が０．０５〜０．２０ｇ／ｃｍ3、ＪＩＳ  Ｋ  ６７６７による圧縮硬さ（２５％圧縮時）が２．０〜６．０Ｎ／ｃｍ2の特性を有する弾性シートから構成されていることが、望ましい。
【００１４】
また、この安全マットにおいて、前記下面シートを構成する防滑性シート材は、ＪＩＳ  Ｌ  １０９６による単位面積当たりの質量が６００〜１１００ｇ／ｍ2、ＪＩＳ  Ｌ  １０９６のストリップ法による引張強さ（試験片幅：５ｃｍ）が２０００〜４０００Ｎ、ＪＩＳ  Ｌ  １０９６のシングルタング法による引裂強さが１５０〜３５０Ｎの特性を有していることが、望ましい。
【００１５】
また、この安全マットにおいて、前記下面シートの下面における一方の側縁部及び他方の側縁部に、それぞれ互いに連結可能な面ファスナーが固着されていることが、望ましい。
【００１６】
【発明の実施の形態】
次に、この発明に係る体操用安全マットの実施形態を作用と共に説明する。
【００１７】
なお、以下の説明において、物性値は完成品の状態での物性値である。
【００１８】
図１及び図２は、この発明の実施形態の体操用安全マット（Ｍ）を示している。この安全マット（Ｍ）は、図１及び図２に示すように、平面視方形状のものであって、方形状の上面シート（１）と、該上面シート（１）と同じ広さの方形状の下面シート（２）と、これら両面シート（１）（２）の間に介在配置された方形シート状の中詰め緩衝材（３）とを備えている。そして、上下両面シート（１）（２）が前記中詰め緩衝材（３）を挟む態様にして重ね合わされて両者（１）（２）の周縁同士が縫合（縫合部５）されることにより、中詰め緩衝材（３）がこれら上下両面シート（１）（２）によって包被されているものである。
【００１９】
この安全マット（Ｍ）において、前記上面シート（１）は、例えば、一枚の柔軟な人工皮革や不織布（例えばナイロン不織布のウレタン含浸加工品）から構成されている。
【００２０】
一方、前記下面シート（２）は、図２（ロ）に示すように、一枚の帆布等からなる織物の片面に、滑り止め用の塩化ビニルやウレタン等からなる合成樹脂コート層あるいは天然ゴムや合成ゴムからなるゴムコート層（2a）が積層一体化された一枚の柔軟な防滑性シート材から構成されている。そして、前記コート層（2a）を下面側にして前記上面シート（１）に縫合されている。このコート層（2a）の表面（即ち、下面シート（２）の下面）には、静摩擦係数を所定の値に設定するための微細な凹凸（高低差０．１〜１ｍｍ）が全面に亘って形成されている。
【００２１】
一方、前記中詰め緩衝材（３）は、例えば、エチレン−酢酸ビニル共重合体（ＥＶＡ）樹脂発泡体からなる一枚の弾性シートから構成されている。
【００２２】
さらに、前記下面シート（２）において、その下面の左側縁部には、面ファスナー（4a）が該左側縁部に沿って縫合固着され、一方、右側縁部には、この面ファスナー（4a）と連結可能な面ファスナー（4b）が該右側縁部に沿って縫合固着されている。
【００２３】
この安全マット（Ｍ）は、演技練習時に、体操競技用具におけるビーム、バー、馬体等の競技使用部位に掛け置かれて使用されるものであって、具体的には次のようにして使用されるものである。
【００２４】
すなわち、この安全マット（Ｍ）は、演技練習時に、例えば、図３に示すように平均台（10）のビーム（11）に二つ折り状に掛け置かれて使用され、あるいは、図４に示すように平行棒（20）のバー（21）に同じく二つ折り状に掛け置かれて使用されるものである。これらの場合において、この安全マット（Ｍ）の下面シート（11）の下面には、上述した一対の面ファスナー（4a）（4b）が固着されているから、図３及び図４に示すように、安全マット（Ｍ）をビーム（11）やバー（21）等に掛けてからこの面ファスナー（4a）（4b）同士を連結することにより、安全マット（Ｍ）を二つ折り状態に保持することができ、これにより安全マット（Ｍ）がビーム（11）やバー（21）等から落下する不具合を防止することができるようになっている。しかも、この状態において、下面シート（２）の下面には、滑り止め用のコート層（2a）が形成されているから、ジムナストが手や足を着いても不慮のずれ動きが生じないものとなる。
【００２５】
さらに、この安全マット（Ｍ）は、図５に示すように、跳馬（30）の馬体（31）に掛け置いて使用しても良いし、助走路面（41）上に置いて使用しても良いし、あるいは更に鉄棒（図示せず）のバーに掛け置いて使用しても良い。
【００２６】
また、この安全マット（Ｍ）は、演技練習時に、ビーム（11）、バー（21）、馬体（31）等の競技使用部位に投げ置かれて使用されるものであって、具体的には次のようにして使用されるものである。
【００２７】
すなわち、この安全マット（Ｍ）は、例えば平均台（10）の演技練習時において、ジムナストがビーム（11）上で宙返りをしてビーム（11）に着地するときに、ジムナストが足を踏み外して火傷や打撲をしないよう、ジムナストの演技動作を手助けする介助者（例えばコーチ）によって、ビーム（11）に投げ置かれて使用されるものである。
【００２８】
このように、この安全マット（Ｍ）は様々な体操競技用具に使用することができるし、投げ置きマットとして使用することができるようになっている。
【００２９】
而して、この安全マット（Ｍ）において、全体長さ及び全体幅はいずれも５００〜１５００ｍｍの範囲内にあり、且つ全体厚さが５〜２５ｍｍの範囲内にあることを要する。この理由は次の通りである。
【００３０】
すなわち、全体長さ及び全体幅が下限値未満である場合には、安全マット（Ｍ）の広さが小さくなり過ぎてジムナストを確実に受けることができなくなる。特に好ましい下限値は７００ｍｍである。
【００３１】
一方、全体長さ及び全体幅が上限値を超えた場合には、安全マット（Ｍ）の広さが大きくなり過ぎてしまい、このため投げ置き使用する場合に、投げ難くなるし、空気抵抗を大きく受けて迅速に所定部位へと投げ置くことができなくなる。更には遠征先の試合会場へと持ち運ぶ際に、かさ張ったり重量が重くなったりして持ち運びが困難になる。特に好ましい上限値は１３００ｍｍである。
【００３２】
また、全体厚さが下限値未満である場合には、衝撃吸収性が低下するし、着手時に底付き感が生じるようになる。特に好ましい下限値は８ｍｍである。
【００３３】
一方、全体厚さが上限値を超えた場合には、かさ高になり、このため投げ置き使用する場合に、投げ難くなるし、更には遠征先の試合会場へと持ち運ぶ際に、かさ張ったり重量が重くなったりして持ち運びが困難になる。更には、かさ高になっていることから、ビーム（11）、バー（21）、馬体（31）等に掛け置いて使用する場合に、当該マット（Ｍ）を二つ折り状に折り曲げることができなくなる。しかも、当該マット（Ｍ）をビーム（11）等に掛け置くと、当該マット（Ｍ）の肉厚に対応する段差が生じることとなるが、マット（Ｍ）がかさ高になっているから、この段差が大きくなり過ぎてしまって演技練習に支障を来すようなる。特に好ましい上限値は２０ｍｍである。
【００３４】
さらに、この安全マット（Ｍ）において、下面シート（２）の下面は、ＡＳＴＭ  Ｄ  １８９４による静摩擦係数（相手材：ポリメタクリル酸メチル）が１．３〜２．１に設定されていることが、望ましい。その理由は次の通りである。
【００３５】
すなわち、静摩擦係数が下限値未満である場合には、ビーム（11）等に掛け置かれた安全マット（Ｍ）が着手や着地の際に不慮にずれ動いてしまう恐れがある。
【００３６】
一方、静摩擦係数の上限値を超えた場合には、安全マット（Ｍ）の下面がビーム（11）やバー（21）等にくっついてしまって安全マット（Ｍ）の取外し作業が困難になる。
【００３７】
また、この下面シート（２）の下面のＡＳＴＭ  Ｄ  １８９４による動摩擦係数は、１．０〜１．８に設定されていることが、上記の作用を確実に奏し得るようになる点で望ましい。
【００３８】
なお、この静摩擦係数や動摩擦係数は、コート層（2a）の材質を変えることにより、あるいは更にコート層（2a）の表面に微細な凹凸を形成することによって、所定範囲に容易に設定することができる。
【００３９】
さらに、この安全マット（Ｍ）において、全体重量が１〜４ｋｇの範囲内に設定されていることが、望ましい。その理由は次の通りである。
【００４０】
すなわち、全体重量が下限値未満である場合には、重量が軽すぎるために、安全マット（Ｍ）をビーム（11）、バー（21）等に掛け置いたときに、下面シート（２）の下面のビーム（11）等への密着度が低くなり、このため不慮のずれ動きが生じる恐れがある。
【００４１】
一方、全体重量が上限値を超えた場合には、重量が重すぎてしまい、このため持ち運びが困難になるし、投げ置き使用する場合に投げ難くなる。
【００４２】
さらに、この安全マット（Ｍ）において、上面シート（１）は、ＪＩＳ  Ｌ  １０９６による厚さが０．５〜３ｍｍであり、且つＪＩＳ  Ｌ  １０９６による単位面積当たりの質量が２００〜８００ｇ／ｍ2、ＪＩＳ  Ｌ  １０９６のカットストリップ法による引張強さ（試験片幅：２．５ｃｍ）が３００〜７００Ｎ、及び、ＪＩＳ  Ｌ  １０９６のシングルタング法による引裂強さが５０〜１５０Ｎの特性を有していることが、望ましい。この理由は次の通りである。
【００４３】
すなわち、上面シート（１）の厚さ、単位面積当たりの質量、引張強さ及び引裂強さが下限値未満である場合には、適度な強度を持たせることできず、着手や着地時の衝撃を受けて上面シート（１）が破れる恐れがあるし、更には投げ置いたときに上面シート（１）が破れる恐れがあり、このため投げ置き使用できなくなるからである。
【００４４】
一方、上面シート（１）のこれら物性値が上限値を超えた場合には、上面シート（１）が硬くなって折り曲げ難くなるし、衝撃荷重が中詰め緩衝材（２）に伝達され難くなって衝撃吸収特性が低下するし、更には重量が重くなって持ち運びが困難になる。
【００４５】
さらに、上面シート（１）は、ＪＩＳ  Ｌ  １０９６のＣ法（テーバー形法）による摩耗強さ（摩耗輪：Ｈ−２２、荷重：９．８１Ｎ、回数：１０００回）が質量減量値で１００〜２５０ｍｇの特性を有していることが望ましい。その理由は次の通りである。
【００４６】
すなわち、摩耗強さが下限値未満である場合には、手触り感や足触り感が悪くなったり手の滑りや足の滑りが生じたりするからである。
【００４７】
一方、摩耗強さが上限値を超えた場合には、耐久性が低下するからである。
【００４８】
さらに、この安全マット（Ｍ）において、中詰め緩衝材（３）は、厚さが５〜２５ｍｍであり、且つＪＩＳ  Ｋ  ６７６７による見掛け密度が０．０５〜０．２０ｇ／ｃｍ3、及び、ＪＩＳ  Ｋ  ６７６７による圧縮硬さ（２５％圧縮時）が２．０〜６．０Ｎ／ｃｍ2の弾性シートから構成されていることが、望ましい。この理由は次の通りである。
【００４９】
すなわち、中詰め緩衝材（３）の厚さ、見掛け密度及び圧縮硬さが下限値未満である場合には、柔軟になり過ぎて着手時や着地時に底付き感が生じるようになるからである。
【００５０】
一方、中詰め緩衝材（３）の見掛け密度及び圧縮硬さが上限値を超えた場合には、硬くなり過ぎて衝撃を十分に緩和吸収できなくなるからであり、また、厚さが上限値を超えた場合には、マット全体の厚さが厚くなり過ぎて持ち運びが困難になるからである。
【００５１】
さらに、この安全マット（Ｍ）において、下面シート（２）を構成している防滑性シート材は、ＪＩＳ  Ｌ  １０９６による単位面積当たりの質量が６００〜１１００ｇ／ｍ2、ＪＩＳ  Ｌ  １０９６のストリップ法による引張強さ（試験片幅：５ｃｍ）が２０００〜４０００Ｎ、及び、ＪＩＳ  Ｌ  １０９６のシングルタング法による引裂強さが１５０〜３５０Ｎの特性を有していることが、望ましい。この理由は次の通りである。
【００５２】
すなわち、単位面積当たりの質量、引張強さ及び引裂強さが下限値未満である場合には、適度な厚みや強さを持たせることができず、着手や着地時の衝撃を受けて下面シート（２）が破れる恐れがあるし、更には投げ置いたときに下面シート（２）が破れる恐れがあり、このため投げ置き使用できなくなるからである。
【００５３】
一方、これら物性値が上限値を超えた場合には、下面シート（２）が硬くなって折り曲げ難くなるし、更には重量が重くなって持ち運びが困難になる。
【００５４】
なお、この発明では、上下各面シート（１）（２）や中詰め緩衝材（３）の引張強さ、引裂強さ、摩擦係数等の物性値に関して、タテ方向とヨコ方向との値が相異している場合には、タテ方向の値とヨコ方向の値との平均値が上記特定範囲内に入っていれば良く、特に、両方の値がともに上記特定範囲内に入っていることが、上述した作用を確実に奏し得るようになる点で、望ましい。
【００５５】
以上、この発明の実施形態の安全マットについて説明したが、この発明は上記実施形態のものに限定されるものではないことはもちろんである。
【００５６】
【実施例】
次に、この発明の具体的実施例を示す。
【００５７】
＜上面シート＞
一枚の人工皮革を用いて上面シート（１）を製作した。使用した人工皮革の特性は次の通りである。
・厚さ…１．３１ｍｍ
・単位面積当たりの質量…４５３ｇ／ｍ2
・引張強さ…タテ４２３Ｎ、ヨコ５０６Ｎ
・伸び率…タテ７８．６％、ヨコ１１１％
・引裂強さ…タテ１１１Ｎ、ヨコ８２．７Ｎ
・摩耗強さ…１８０ｍｇ
［試験方法及び条件］
・厚さ…JIS L 1096に準拠（一定荷重:23.5ｋPa）
・単位面積当たりの質量…JIS L 1096に準拠（試験片:20cm×20cm）
・引張強さ及び伸び率…JIS L 1096のカットストリップ法に準拠（引張速度:10cm/min、つかみ間隔:10cm、試験片幅:2.5cm）
・引裂強さ…JIS L 1096のシングルタング法に準拠（引張速度:10cm/min、試験片幅:5cm）
・摩耗強さ…JIS L 1096のＣ法（テーバー形法）に準拠（摩耗輪:H-22、荷重:9.81N、回数:1000回）
【００５８】
＜中詰め緩衝材＞
ＥＶＡ樹脂発泡体からなる一枚の弾性シートを用いて中詰め緩衝材（３）を製作した。使用した弾性シートの特性は次の通りである。
・厚さ…１０ｍｍ
・見掛け密度…０．０９５ｇ／ｃｍ3
・引張強さ…６５Ｎ／ｃｍ2
・伸び…２００％
・引裂強さ…２４Ｎ／ｃｍ
・圧縮硬さ（25％圧縮時）…３．２Ｎ／ｃｍ2
・硬さ…１２Ｈｓ
・圧縮永久歪み率（20±2℃×22hrs、圧縮率25％）…５．３％
［試験方法及び条件］
・見掛け密度…JIS K 6767に準拠
・引張強さ及び伸び…JIS K 6767に準拠（試験片:JIS 3号形）
・引裂強さ…JIS K 6767に準拠（試験片:JIS B形）
・圧縮硬さ…JIS K 6767に準拠
・硬さ…SRIS(日本ゴム協会標準規格) C 0101に準拠
・圧縮永久歪み率…JIS K 6767に準拠
・備考：試験室温21℃、湿度57％、試験機容量  ロードセル式  10.25kgf
【００５９】
＜下面シート＞
一枚の帆布の片面に滑り止め用合成ゴムコート層（2a）が積層一体化された防滑性シート材を用いて下面シート（２）を製作した。使用した防滑性シート材の特性は次の通りである。
・単位面積当たりの質量…８５５ｇ／ｍ2
・引張強さ…タテ３２４０Ｎ、ヨコ２５１０Ｎ
・伸び率…タテ２７．８％、ヨコ３４．０％
・引裂強さ…タテ２２９Ｎ、ヨコ２２１Ｎ
［試験方法及び条件］
・単位面積当たりの質量…JIS L 1096準拠（標準状態)
・引張強さ及び伸び率…JIS L 1096のストリップ法に準拠（試験機の型式:定速伸長形、試験片幅:5cm、つかみ間隔:20cm、引張速度:15±1cm/min）
・引裂強さ…JIS L 1096のシングルタング法に準拠（引張速度:15±1cm/min、試験片幅:5cm）
また、この防滑性シート材において、コート層（2a）の表面（即ち、下面シートの下面）の静摩擦係数及び動摩擦係数は次の通りである。
・静摩擦係数…１．７
・動摩擦係数…１．４
［試験方法及び条件］
・静摩擦係数及び動摩擦係数…ASTM D 1894に準拠（試験速度:150mm/min、滑り片質量:1.96Ｎ、相手材：ポリメタクリ酸メチル（PMMA））
・備考：室温23℃、湿度60％RH
【００６０】
＜安全マット＞
こうして製作された平面視正方形の安全マット（Ｍ）の寸法及び重量を以下に示す。
・全体寸法…長さ９８０mm×幅９８０mm×厚さ１２mm
・全体重量…２．３ｋｇ
【００６１】
この安全マット（Ｍ）を実際に図３に示すように平均台（10）のビーム（11）に掛け置いて使用したところ、上面シート（１）の破れがなくしかも衝撃吸収性が良好で打撲等の怪我がない上、不慮のずれ動きもなく、安心して練習できることが分かった。更に、耐久性も良好で長期の使用によっても上面シート（１）の特性が良好に保たれることが分かった。さらにまた、曲がり易くなっており、ビーム（11）の外周面に沿うように掛け置くことができたし、自重で垂れ下がって二つ折り状になることが分かった。さらにまた、ジムナストがビーム（11）上で宙返りをしてビーム（11）に着地するときに、そばにいた介助者がこの安全マット（Ｍ）をビーム（11）に投げ置いたところ、迅速にこれを投げ置くことができてジムナストの怪我を防止できることを確認し得た。
【００６２】
さらにまた、図５に示すように跳馬（30）の馬体（31）にこの安全マット（Ｍ）を掛け置いて使用したところ、着手時の底付き感がなく、手首の関節を痛めることなく何度も繰り返し練習を行えることが分かった。しかも、着手時のずれ動きもなく、安心して練習できることが分かった。さらにまた、ジムナストが着地に失敗して着地マット（40）の外側へと飛び出した際にそばにいた介助者がこの安全マット（Ｍ）を床面上に投げ置いたところ、迅速にこれを投げ置くことができてジムナストの怪我を防止できることを確認し得た。
【００６３】
さらに、この安全マット（Ｍ）は、全体重量が２．３ｋｇと軽量であるし、容易に二つ折り状や三つ折り状にすることができてコンパクトな状態に折り畳むことができた。したがって、この安全マット（Ｍ）は遠征先の試合会場までかさ張ることなく容易に持ち運びできることを確認し得た。
【００６４】
さらに、下面シート（２）の下面の静摩擦係数が１．３に設定された安全マットを用い、これを跳馬（30）の馬体（31）に掛け置いて使用したところ、同じく着手時のずれ動きがなく、安心して練習できることが分かった。
【００６５】
これに対して、下面シートの下面の静摩擦係数が１．２に設定された安全マットを用い、これを跳馬（30）の馬体（31）に掛け置いて使用したところ、着手時に安全マットがずれ動いてしまい、安心して練習できないことが分かった。
【００６６】
【発明の効果】
上述の次第で、この発明に係る体操用安全マットは、全体長さ、全体幅及び全体厚さが特定範囲内にあるので、適度な広さ及び厚さを有しており、したがってビーム、バー、馬体等に掛け置いたり投げ置いたりして使用することができる。しかも、適度な広さを有しているから、投げ置き使用する場合であっても、ジムナストを確実に受けることができるし、これを迅速に投げ置くことができるようになって、演技失敗に伴う怪我を確実に防止することができる。しかも、遠征先の試合会場まで容易に持ち運ぶことができる。
【００６７】
その上、この安全マットは、下面シートが、織物の片面に滑り止め用合成樹脂コート層又はゴムコート層が積層一体化された防滑性シート材から構成されるとともに、前記コート層を下面側にして位置されているものなので、この安全マットをビーム、バー、馬体等に掛け置いたり投げ置いたりして使用する場合にあっても、不慮のずれ動きが生じることがなく、安心して練習することができる。
【００６８】
また、下面シートの下面の静摩擦係数が特定範囲内に設定されている場合には、不慮のずれ動きを確実に防止することができ、より一層安心して練習することができる。
【００６９】
また、全体重量が特定範囲内にある場合には、持ち運び容易性を損なわずに、不慮のずれ動きをより一層確実に防止することができる。
【００７０】
また、上面シートが特定の物性値を有している場合には、上面シートが適度な強度及び柔らかさを有するものとなって、衝撃を受けても上面シートの破れが生じないし、その衝撃荷重を中詰め緩衝材に良好に伝え得るようになる。
【００７１】
また、上面シートが特定の摩耗強さを有している場合には、手触り感や足触り感が良好で且つ手足の滑りがなく、しかも長期に亘って使用することができる。
【００７２】
また、中詰め緩衝材が特定の物性値を有している場合には、中詰め緩衝材が適度な衝撃吸収性を有すものとなって、上面シートから伝わった衝撃を効果的に且つ確実に緩和することができるし、これを例えばビームや馬体に掛け置いて使用する場合であっても、底付き感がなく足首や手首の関節を痛める不具合が生じない。しかも、曲がり易くなっており、このため、この安全マットをビーム、バー、馬体等に掛け置くと、この安全マットが自重で二つ折り状に垂れ下がり得るものとなり、このため演技練習を良好に行うことができる。
【００７３】
また、下面シートを構成する防滑性シート材が特定の物性値を有するものである場合には、下面シートに適度な厚さや強さを持たせることができ、したがって投げ置き使用した場合にも下面シートが破れる不具合が生じない。更には、折り曲げ易くなるし、軽量化を図ることができて、より一層容易に持ち運びを行えるようになる。
【００７４】
また、下面シートの外面における一方の側縁部と他方の側縁部に、それぞれ互いに連結可能な面ファスナーが固着されている場合には、ビーム、バー等に掛け置く際に、この面ファスナー同士を連結することにより、かかる状態をしっかりと保持することができて、ビーム、バー等からの落下を防止することができる。
【図面の簡単な説明】
【図１】この発明の実施形態の体操用安全マットを示す図で、（イ）は上面から視た斜視図、（ロ）は下面から視た斜視図である。
【図２】（イ）は図１（イ）中のII−II線断面図、（ロ）は図２（イ）中のＡ部分の拡大断面図である。
【図３】同マットの一使用態様を示す斜視図である。
【図４】同マットのもう一つの使用態様を示す斜視図である。
【図５】同マットの更にもう一つの使用態様を示す斜視図である。
【符号の説明】
Ｍ…体操用安全マット
１…上面シート
２…下面シート
2a…合成樹脂コート層又はゴムコート層
３…中詰め緩衝材
4a、4b…面ファスナー
【図１】
0003664960.tif 000002
【図２】
0003664960.tif 000003
【図３】
0003664960.tif 000004
【図４】
0003664960.tif 000005
【図５】
0003664960.tif 000006